(57)【特許請求の範囲】
【請求項１】
移動パケット通信システムであって、
現在設定されているパケット呼に関する情報として、該現在設定されているパケット呼の数を示す接続呼数と、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、該記憶手段から抽出した前記接続呼数が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする移動パケット通信システム。
【請求項２】
Ｗ−ＣＤＭＡ方式の移動パケット通信システムであって、
現在設定されているパケット呼に関する情報として、現在設定されているＡＤＣＨの数と、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、該記憶手段から抽出した前記現在設定されているＡＤＣＨの数が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする移動パケット通信システム。
【請求項３】
移動パケット通信システムであって、
現在設定されているパケット呼宛てに送信されたデータを蓄積するバッファ手段と、
前記バッファ手段に蓄積されているデータを前記パケット呼上に転送し、単位時間当たりに前記パケット呼上に転送したデータ量を計測するキュー処理手段と、
前記現在設定されているパケット呼に関する情報として、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、前記キュー処理手段において計測された前記データ量が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする移動パケット通信システム。
【請求項４】
移動パケット通信システムであって、
現在設定されているパケット呼宛てに送信されたデータを蓄積するバッファ手段と、
バッファ手段に蓄積されているデータを前記パケット呼上に転送するキュー処理手段と、
前記バッファ手段に前記データが蓄積された時刻と、前記キュー手段により前記データが前記パケット呼上に転送された時刻とに基づいて遅延時間を算定する遅延時間算定手段と、
前記遅延時間算定手段により算定された前記遅延時間の所定期間内の平均値を求める遅延時間平均化手段と、
前記現在設定されているパケット呼に関する情報として、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、前記遅延時間平均化手段により求められた前記平均値が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする移動パケット通信システム。
【請求項５】
移動パケット通信方法において、
現在設定されているパケット呼に関する情報として、該現在設定されているパケット呼の数を示す接続呼数と、該現在設定されているパケット呼の識別情報と、該現在設定されているパケット呼の各々が切断されるまでの残り時間を示す切断タイマとを記憶する工程Ａと、
移動局から受信した呼受付要求に係るパケット呼の識別情報が前記記憶手段に記憶されていない場合で、かつ、記憶されている前記接続呼数が所定の閾値よりも小さい場合に、該呼受付要求に係るパケット呼の設定を受け付けると判定する工程Ｂと、
前記切断タイマがタイムアウトになったパケット呼の接続を解放し、記憶されている前記現在設定されているパケット呼に関する情報を更新する工程Ｃと、
前記移動局から受信した前記呼受付要求に係るパケット呼の識別情報が記憶されている場合には、該呼受付要求に係るパケット呼の設定を受け付けるか否かについて判定することなく、前記切断タイマを最大値にする工程Ｄとを有することを特徴とする移動パケット通信方法。
【請求項６】
Ｗ−ＣＤＭＡ方式の移動パケット通信方法であって、
現在設定されているパケット呼に関する情報として、現在設定されているＡＤＣＨの数と、該現在設定されているパケット呼の識別情報と、該現在設定されているパケット呼の各々が切断されるまでの残り時間を示す切断タイマとを記憶する工程Ａと、
移動局から受信した呼受付要求に係るパケット呼の識別情報が記憶されていない場合で、かつ、記憶されている前記現在設定されているＡＤＣＨの数が所定の閾値よりも小さい場合に、該呼受付要求に係るパケット呼の設定を受け付けると判定する工程Ｂと、
前記切断タイマがタイムアウトになったパケット呼の接続を解放し、記憶されている前記現在設定されているパケット呼に関する情報を更新する工程Ｃと、
前記移動局から受信した前記呼受付要求に係るパケット呼の識別情報が記憶されている場合には、該呼受付要求に係るパケット呼の設定を受け付けるか否かについて判定することなく、前記切断タイマを最大値にする工程Ｄとを有することを特徴とする移動パケット通信方法。
【請求項７】
移動パケット通信方法であって、
現在設定されているパケット呼宛てに送信されたデータを蓄積する工程Ａと、
蓄積されている前記データを前記パケット呼上に転送し、単位時間当たりに前記パケット呼上に転送したデータ量を計測する工程Ｂと、
前記現在設定されているパケット呼に関する情報として、該現在設定されているパケット呼の識別情報と、該現在設定されているパケット呼の各々が切断されるまでの残り時間を示す切断タイマとを記憶する工程Ｃと、
移動局から受信した呼受付要求に係るパケット呼の識別情報が前記記憶手段に記憶されていない場合で、かつ、計測された前記データ量が所定の閾値よりも小さい場合に、該呼受付要求に係るパケット呼の設定を受け付けると判定する工程Ｄと、
前記切断タイマがタイムアウトになったパケット呼の接続を解放し、記憶されている前記現在設定されているパケット呼に関する情報を更新する工程Ｅと、
前記移動局から受信した前記呼受付要求に係るパケット呼の識別情報が記憶されている場合には、該呼受付要求に係るパケット呼の設定を受け付けるか否かについて判定することなく、前記切断タイマを最大値にする工程Ｆとを有することを特徴とする移動パケット通信方法。
【請求項８】
移動パケット通信方法であって、
現在設定されているパケット呼宛てに送信されたデータを蓄積する工程Ａと、
蓄積されている前記データを前記パケット呼上に転送する工程Ｂと、
前記データが蓄積された時刻と、前記キュー手段により前記データが前記パケット呼上に転送された時刻とに基づいて遅延時間を算定する工程Ｃと、
算定された前記遅延時間の所定期間内の平均値を求める工程Ｄと、
前記現在設定されているパケット呼に関する情報として、該現在設定されているパケット呼の識別情報と、該現在設定されているパケット呼の各々が切断されるまでの残り時間を示す切断タイマとを記憶する工程Ｅと、
移動局から受信した呼受付要求に係るパケット呼の識別情報が記憶されていない場合で、かつ、求められた前記平均値が所定の閾値よりも小さい場合に、該呼受付要求に係るパケット呼の設定を受け付けると判定する工程Ｆと、
前記切断タイマがタイムアウトになったパケット呼の接続を解放し、記憶されている前記現在設定されているパケット呼に関する情報を更新する工程Ｇと、
前記移動局から受信した前記呼受付要求に係るパケット呼の識別情報が記憶されている場合には、該呼受付要求に係るパケット呼の設定を受け付けるか否かについて判定することなく、前記切断タイマを最大値にする工程Ｈとを有することを特徴とする移動パケット通信方法。
【請求項９】
移動パケット通信システムにおける無線制御装置であって、
現在設定されているパケット呼に関する情報として、該現在設定されているパケット呼の数を示す接続呼数と、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、該記憶手段から抽出した前記接続呼数が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする無線制御装置。
【請求項１０】
Ｗ−ＣＤＭＡ方式の無線制御装置であって、
現在設定されているパケット呼に関する情報として、現在設定されているＡＤＣＨの数と、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、該記憶手段から抽出した前記現在設定されているＡＤＣＨの数が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする無線制御装置。
【請求項１１】
移動パケット通信システムにおける無線制御装置であって、
現在設定されているパケット呼宛てに送信されたデータを蓄積するバッファ手段と、
前記バッファ手段に蓄積されているデータを前記パケット呼上に転送し、単位時間当たりに前記パケット呼上に転送したデータ量を計測するキュー処理手段と、
前記現在設定されているパケット呼に関する情報として、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、前記キュー処理手段において計測された前記データ量が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする無線制御装置。
【請求項１２】
移動パケット通信システムにおける無線制御装置であって、
現在設定されているパケット呼宛てに送信されたデータを蓄積するバッファ手段と、
バッファ手段に蓄積されているデータを前記パケット呼上に転送するキュー処理手段と、
前記バッファ手段に前記データが蓄積された時刻と、前記キュー手段により前記データが前記パケット呼上に転送された時刻とに基づいて遅延時間を算定する遅延時間算定手段と、
前記遅延時間算定手段により算定された前記遅延時間の所定期間内の平均値を求める遅延時間平均化手段と、
前記現在設定されているパケット呼に関する情報として、該現在設定されているパケット呼の識別情報と、該現在設定されているパケット呼の各々が切断されるまでの残り時間を示す切断タイマとを記憶している記憶手段と、
移動局から受信した呼受付要求に係るパケット呼の識別情報が前記記憶手段に記憶されていない場合で、かつ、前記遅延時間平均化手段により求められた前記平均値が所定の閾値よりも小さい場合に、該呼受付要求に係るパケット呼の設定を受け付けると判定する呼受付制御部とを具備し、
前記呼受付制御部は、前記切断タイマがタイムアウトになったパケット呼の接続を解放し、前記記憶手段に記憶されている前記現在設定されているパケット呼に関する情報を更新し、
前記呼受付制御部は、前記移動局から受信した前記呼受付要求に係るパケット呼の識別情報が前記記憶手段に記憶されている場合には、該呼受付要求に係るパケット呼の設定を受け付けるか否かについて判定することなく、前記切断タイマを最大値にすることを特徴とする無線制御装置。
【発明の詳細な説明】
【０００１】
【発明の属する技術分野】
本発明は、移動局に対してパケット通信サービスを提供する移動パケット通信システム、移動パケット通信方法及び無線制御装置に関する。
【０００２】
【従来の技術】
従来の移動パケット通信システムでは、周波数利用効率の観点、並びに、パケット通信における遅延許容性から、通常、単一の無線チャネルに複数ユーザのデータを時間多重して送信するという手法が用いられている。そして、従来の移動パケット通信システムでは、無線基地局装置若しくは無線制御装置に、ユーザ毎のデータを一時的に溜めておくユーザデータバッファが用意されているために、このユーザデータバッファに溜めることのできるデータ量の限界が、同時に接続可能なユーザ数、すなわち、同時に設定可能なパケット呼（パケット通信用の呼）の数のハードウエアによる限界となっていた。
【０００３】
しかしながら、従来の移動パケット通信システムでは、通常、ユーザデータバッファとして十分な領域が確保されているため、このユーザデータバッファが一杯になるまで、ユーザから設定要求されたパケット呼の設定を受け付けてしまうと、伝送遅延が増大してしまい、品質の劣化を招くという欠点があった。
【０００４】
そこで、この問題を解決するために、ハードウエアの限界まで、ユーザから設定要求されたパケット呼の設定を受け付けるのではなく、下り送信電力の使用状況によって、ユーザから設定要求されたパケット呼の設定を受け付けるように制御する移動パケット通信システムが知られている。
【０００５】
図１に、上述の移動パケット通信システムの全体構成図を示す。上述の移動パケット通信システムは、図１に示すように、移動局１０と、無線基地局装置２０と、無線制御装置３０と、交換装置４０とによって構成されている。
【０００６】
移動局１０は、無線接続を介して無線基地局装置２０に接続されており、例えば、ＰＨＳ端末、携帯電話端末（ＩＭＴ−２０００対応の携帯電話端末も含む）、通信機能を備えた携帯情報端末（ＰＤＡ）等の無線通信端末によって構成されている。
【０００７】
無線基地局装置２０は、無線接続を介して移動局１０に接続されており、また、有線又は無線接続を介して無線制御装置３０に接続されている。無線基地局装置２０は、無線制御装置３０によって制御され、自己の管理するセル範囲内に在圏する移動局１０との間で無線通信を行うものである。
【０００８】
無線制御装置３０は、無線基地局装置２０と交換装置４０とに接続されており、無線基地局装置２０を制御することによって、移動局１０の無線通信を制御するものである。また、無線制御装置３０は、無線基地局装置２０を介して送信された移動局１０からの「呼受付要求（パケット呼の設定要求）」を受信し、該呼受付要求に係るパケット呼の設定を受け付けるか否かの判定を行い、該パケット呼の設定を受け付けると判定した場合、該パケット呼の設定要求を交換装置４０に転送する。無線制御装置３０は、図７に示すように、呼処理部３１と、呼受付制御部３２と、記憶装置３３とによって構成されている。図２は、上述の移動パケット通信システムにおける無線制御装置３０の構成のうち上述の制御に関係する部分のみを概念的に示している。
【０００９】
呼処理部３１は、呼受付制御部３２に接続されており、移動局１０からの呼受付要求を受信し、受信した呼受付要求を呼受付制御部３２に転送するものである。また、呼処理部３１は、呼受付制御部３２により送信された上述の呼受付要求に係るパケット呼の設定を受け付けるか否かの判定結果を移動局１０に応答するものである。
【００１０】
呼受付制御部３２は、呼処理部３１に接続されており、呼処理部３１により転送された呼受付要求に係るパケット呼の設定を受け付けるか否かの判定を行い、その判定結果を呼処理部３１に送信するものである。呼受付制御部３２には、無線基地局装置２０から、無線基地局装置２０で現在使用している下り送信電力Ｐが常時報告されている。呼受付制御部３２は、「所定の閾値Ｔ」を管理しており、上述の「下り送信電力Ｐ」と「所定の閾値Ｔ」との比較結果に基づいて、呼処理部３１により転送された呼受付要求に係るパケット呼の設定を受け付けるか否かの判定を行う。
【００１１】
記憶装置３３は、呼受付制御部３２に接続されており、現在設定されているパケット呼に関する情報を記憶するものである。上述の情報には、例えば、図７に示すように、現在接続されているパケット呼の識別情報である「呼ＩＤ」や該パケット呼が切断されるまでの残り時間を示す「切断タイマ」や現在接続されているパケット呼の数を示す「接続呼数」等が挙げられる。
【００１２】
交換装置４０は、無線制御装置３０に接続されており、無線制御装置３０から転送されたパケット呼の設定要求に対する交換処理を行うものである。交換装置４０は、幹線網１００を介して他の交換装置に接続されている。
【００１３】
図８に、上述の移動パケット通信システムにおいて、移動局１０から呼受付要求が送信された場合の動作を示す。
【００１４】
図８に示すように、ステップＳ８０２において、無線制御装置３０の呼処理部３１が、移動局１０から無線基地局装置２０を介して送信された呼受付要求を受信する。ステップＳ８０４において、無線制御装置３０の呼受付制御部３２が、呼処理部３１により転送された呼受付要求を受信する。
【００１５】
ステップＳ８０６において、呼受付制御部３２が、無線基地局装置２０から常時報告されている無線基地局装置２０で現在使用している「下り送信電力Ｐ」と、自己の管理する「所定の閾値Ｔ」とを比較する。
【００１６】
「下り送信電力Ｐ」が「所定の閾値Ｔ」より小さい場合、ステップＳ８０８において、呼受付制御部３２が、上述の呼受付要求に係るパケット呼の設定を受け付ける旨を通知する「呼受付許可通知」を呼処理部３１に送信し、該呼受付要求に係る呼に関する情報を記憶装置３３に格納する。
【００１７】
また、「下り送信電力Ｐ」が「所定の閾値Ｔ」以上の場合、ステップＳ８１０において、呼受付制御部３２が、上述の呼受付要求に係るパケット呼の設定を受け付けない旨を通知する「呼受付拒否通知」を呼処理部３１に送信する。呼処理部３１は、呼受付制御部３２により送信された「呼受付許可通知」又は「呼受付拒否通知」に応じて、移動局１０からの呼受付要求に対する処理を行う。
【００１８】
【発明が解決しようとする課題】
しかしながら、上述の移動パケット通信システムは、音声通信用の呼（音声呼）の設定に適した制御手段をパケット呼の設定にも適用しているため、想定した効果を発揮しない場合がある。
【００１９】
例えば、多くの移動局１０が、無線基地局装置２０に比較的近い場所で無線通信を行っている場合、無線基地局装置２０により使用される下り送信電力Ｐが、少なくて済むため、無線制御装置３０の呼受付制御部３２は、過大なパケット呼の設定を受け付けてしまう可能性がある。その結果、上述のような状況では、上述の移動パケット通信システムにおいて、伝送遅延が増大し品質劣化が引き起こされるという問題点がある。
【００２０】
また、例えば、多くの移動局１０が、無線基地局装置２０に比較的遠い場所で無線通信を行っている場合は、上述のような下り送信電力Ｐに基づく制御による不具合は発生しないが、複数のユーザが単一の無線チャネルを時間多重で共有するため、無線基地局装置２０により使用される下り送信電力Ｐが高くても、各ユーザのデータが時間的に重ならなければ無線通信が可能であるという移動パケット通信の利点を生かしきれない結果となってしまい、移動パケット通信システム全体のスループットが低下してしまうという問題点がある。
【００２１】
そこで、本発明は、以上の点に鑑みてなされたもので、上述の移動パケット通信の利点を生かすことにより無線チャネルの利用効率を向上させつつ、伝送遅延の増大を制限し品質劣化を防ぐことを可能とする移動パケット通信システムを提供することを課題とする。
【００２２】
【課題を解決するための手段】
本発明に係る移動パケット通信システム及び無線制御装置は、現在設定されているパケット呼に関する情報を記憶している記憶手段と、移動局により送信されたパケット呼の設定要求を受信した際に、記憶手段に記憶されている情報に基づいて、設定要求されたパケット呼が新規呼であるか否かを判定する新規呼判定手段と、パケット呼が新規呼であると判定された場合に、パケット呼の設定を受け付けるか否かを決定する受付決定手段とを具備することを特徴とするものである。
【００２３】
また、本発明に係る移動パケット通信方法は、移動局により送信されたパケット呼の設定要求を受信した際に、記憶手段に記憶されている現在設定されているパケット呼に関する情報に基づいて、設定要求されたパケット呼が新規呼であるか否かを判定する第１工程と、パケット呼が新規呼であると判定された場合に、パケット呼の設定を受け付けるか否かを決定する第２工程とを有することを特徴とするものである。
【００２４】
本発明によれば、記憶手段に記憶されている情報に基づいて、設定要求されたパケット呼が新規呼であるか否かを判定し、既存呼を除いた新規呼についてのみ、パケット呼の設定を受け付けるか否かを決定することが可能となる。
【００２５】
上述の発明において、記憶手段が、現在設定されているパケット呼の数を記憶しており、受付決定手段が、記憶手段から現在設定されているパケット呼の数を抽出し、抽出した現在設定されているパケット呼の数に基づいて、パケット呼の設定を受け付けるか否かを決定することが好ましい。
【００２６】
また、上述の発明において、第２工程で、記憶手段から現在設定されているパケット呼の数を抽出し、抽出した現在設定されているパケット呼の数に基づいて、パケット呼の設定を受け付けるか否かを決定することが好ましい。
【００２７】
この場合、現在設定されているパケット呼の数に基づいて、パケット呼の設定を受け付けるか否かを決定するため、多くの移動局が、無線基地局装置に比較的近い場所で無線通信を行っている場合であっても、過大なパケット呼の設定を受け付けてしまうという問題点を解決することができる。
【００２８】
また、この場合、現在設定されているパケット呼の数に基づいて、パケット呼の設定を受け付けるか否かを決定するため、多くの移動局が、無線基地局装置に比較的遠い場所で無線通信を行っている場合であっても、各ユーザのデータが時間的に重ならなければ無線通信が可能であるという移動パケット通信の利点を生かすことができ、移動パケット通信システム全体のスループットが低下してしまうという問題点を解決することができる。
【００２９】
また、上述の発明において、記憶手段が、現在設定されているＡＤＣＨの数を記憶しており、受付決定手段が、記憶手段から現在設定されているＡＤＣＨの数を抽出し、抽出した現在設定されているＡＤＣＨの数に基づいて、パケット呼の設定を受け付けるか否かを決定することが好ましい。
【００３０】
また、上述の発明において、第２工程で、記憶手段から現在設定されているＡＤＣＨの数を抽出し、抽出した現在設定されているＡＤＣＨの数に基づいて、パケット呼の設定を受け付けるか否かを決定することが好ましい。
【００３１】
この場合、現在設定されているパケット呼の数にほぼ等しい現在設定されているＡＤＣＨの数に基づいて、パケット呼の設定を受け付けるか否かを決定するため、多くの移動局が、無線基地局装置に比較的近い場所で無線通信を行っている場合であっても、過大なパケット呼の設定を受け付けてしまうという問題点を解決することができる。
【００３２】
また、この場合、現在設定されているパケット呼の数にほぼ等しい現在設定されているＡＤＣＨの数に基づいて、パケット呼の設定を受け付けるか否かを決定するため、多くの移動局が、無線基地局装置に比較的遠い場所で無線通信を行っている場合であっても、各ユーザのデータが時間的に重ならなければ無線通信が可能であるという移動パケット通信の利点を生かすことが可能となり、移動パケット通信システム全体のスループットが低下してしまうという問題点を解決することができる。
【００３３】
また、上述の発明において、現在設定されているパケット呼宛てに送信されたデータを蓄積するバッファ手段と、バッファ手段に蓄積されているデータをパケット呼上に転送し、単位時間当たりにパケット呼上に転送したデータ量を計測するキュー処理手段とを具備し、受付決定手段が、キュー処理手段において計測されたデータ量に基づいて、パケット呼の設定を受け付けるか否かを決定することが好ましい。
【００３４】
また、上述の発明において、現在設定されているパケット呼宛てに送信されたデータをバッファ手段に蓄積する工程と、バッファ手段に蓄積されているデータをパケット呼上に転送し、単位時間当たりに前記パケット呼上に転送したデータ量を計測する工程とを有し、第２工程において、計測されたデータ量に基づいて、パケット呼の設定を受け付けるか否かを決定することが好ましい。
【００３５】
この場合、計測されたデータ量（スループット）に基づいて、パケット呼の設定を受け付けるか否かを決定するため、多くの移動局が、無線基地局装置に比較的近い場所で無線通信を行っている場合であっても、スループットの低下により遅延時間が増大するという現象を防ぐことができる。
【００３６】
また、上述の発明において、現在設定されているパケット呼宛てに送信されたデータを蓄積するバッファ手段と、バッファ手段に蓄積されているデータをパケット呼上に転送するキュー処理手段と、バッファ手段にデータが蓄積された時刻と、キュー手段によりデータがパケット呼上に転送された時刻とに基づいて遅延時間を算定する遅延時間算定手段と、遅延時間算定手段により算定された遅延時間の所定期間内の平均値を求める遅延時間平均化手段とを具備し、受付決定手段は、遅延時間平均化手段により求められた平均値に基づいて、パケット呼の設定を受け付けるか否かを決定することが好ましい。
【００３７】
さらに、上述の発明において、現在設定されているパケット呼宛てに送信されたデータをバッファ手段に蓄積する工程と、バッファ手段に蓄積されているデータをパケット呼上に転送する工程と、バッファ手段に前記データが蓄積された時刻と、データがパケット呼上に転送された時刻とに基づいて遅延時間を算定する工程と、算定された遅延時間の所定期間内の平均値を求める工程とを有し、第２工程において、求められた前記平均値に基づいて、パケット呼の設定を受け付けるか否かを決定することが好ましい。
【００３８】
この場合、算定された遅延時間の所定期間内の平均値に基づいて、パケット呼の設定を受け付けるか否かを決定するため、多くの移動局が、無線基地局装置に比較的近い場所で無線通信を行っている場合であっても、遅延時間の増大を防ぐことができる。
【００３９】
【発明の実施の形態】
（本実施形態に係る移動パケット通信システムの構成）
以下、図面を参照しながら、本発明の実施形態について詳細に説明する。図１は、本実施形態に係る移動パケット通信システムの全体構成の一例を示す図であり、該システムの構成のうち本発明に関係する部分のみを概念的に示している。本実施形態に係る移動パケット通信システムの全体構成は、上述の従来の移動パケット通信システムの全体構成と同一である。また、本実施形態に係る移動パケット通信システムにおける移動局１０と無線基地局装置３０と交換装置４０は、上述の従来の移動パケット通信システムにおいて用いられているものと同一である。
【００４０】
本実施形態に係る移動パケット通信システムにおける無線制御装置３０は、上述の従来の移動パケット通信システムにおいて用いられているものと同様に、無線基地局装置２０と交換装置４０とに接続されており、無線基地局装置２０を制御することによって、移動局１０の無線通信を制御するものである。また、本実施形態に係る移動パケット通信システムにおける無線制御装置３０は、無線基地局装置２０を介して送信された移動局１０からの「呼受付要求（パケット呼の設定要求）」を受信し、該呼受付要求に係るパケット呼の設定を受け付けるか否かの判定を行い、該パケット呼の設定を受け付けると判定した場合、該パケット呼の設定要求を交換装置４０に転送する。
【００４１】
本実施形態に係る移動パケット通信システムにおける無線制御装置３０は、図２に示すように、呼処理部３１と、呼受付制御部３２と、記憶装置３３と、ユーザデータバッファ３４と、キュー処理部３５と、遅延時間蓄積／平均化処理装置３６とによって構成されている。図２は、本実施形態に係る移動パケット通信システムにおける無線制御装置３０の構成の一例を示す図であり、該無線制御装置３０の構成のうち本発明に関係する部分のみを概念的に示している。
【００４２】
呼処理部３１は、呼受付制御部３２とユーザデータバッファ３４とに接続されており、移動局１０からの呼受付要求を受信し、受信した呼受付要求を呼受付制御部３２に転送するものである。また、呼処理部３１は、呼受付制御部３２により送信された上述の呼受付要求に係るパケット呼の設定を受け付けるか否かの判定結果を移動局１０に応答するものである。
【００４３】
また、呼処理部３１は、パケット呼の設定が受け付けられた（移動局１０との間でパケット呼が接続された）場合に、ユーザデータバッファ３４に対して、受け付けられたパケット呼（すなわち移動局１０）用の領域を設定するように命令するものであり、パケット呼の接続が解放された場合に、ユーザデータバッファ３４に対して、該パケット呼（移動局１０）用の領域として占有されていた領域を解放するように命令するものである。
【００４４】
さらに、本実施形態に係る移動パケット通信システムが、Ｗ−ＣＤＭＡ方式を用いた移動パケット通信ネットワークで用いられる場合、呼処理部３１は、呼受付制御部３２からの指示に応じて、ＡＤＣＨ（Ａｓｓｏｃｉａｔｅｄ  Ｄｅｄｉｃａｔｅｄ  Ｃｈａｎｎｅｌ）の設定及び解放命令を、無線基地局装置２０に送信する。
【００４５】
呼受付制御部３２は、呼処理部３１と記憶装置３３とユーザデータバッファ３４とキュー処理部３５と遅延時間蓄積／平均化処理装置３６とに接続されており、移動局１０により送信された「呼受付要求（パケット呼の設定要求）」を受信した際に、現在設定されているパケット呼として記憶装置３３に記憶されているか否かに基づいて、上述の呼受付要求に係るパケット呼が「新規呼（すなわち現在設定されていないパケット呼）」であるか否かを判定する新規呼判定手段である。
【００４６】
また、呼受付制御部３２は、呼処理部３１により転送された呼受付要求に係るパケット呼の設定を受け付けるか否かの判定を行う受付判定手段であり、呼受付制御部３２は、その判定結果を呼処理部３１に送信する。
【００４７】
また、呼受付制御部３２は、記憶装置３３に記憶されている「切断タイマ」がタイムアウトになった（すなわち「切断タイマ」の値が「０」となった）パケット呼の接続を解放し、記憶装置３３内の該パケット呼に関する情報を更新する。
【００４８】
また、本実施形態に係る移動パケット通信システムが、Ｗ−ＣＤＭＡ方式を用いた移動パケット通信ネットワークで用いられる場合、呼受付制御部３２は、ＡＤＣＨの設定及び解放を制御し、ＡＤＣＨの設定及び解放に応じて記憶装置３３内のＡＤＣＨの接続数に関する情報を更新する。
【００４９】
記憶装置３３は、呼受付制御部３２に接続されており、現在設定されているパケット呼に関する情報を記憶する記憶手段である。上述の情報には、例えば、図２に示すように、現在設定されているパケット呼の識別情報である「呼ＩＤ」や該パケット呼が切断されるまでの残り時間を示す「切断タイマ」や現在設定されているパケット呼の数を示す「接続呼数」等が挙げられる。
【００５０】
また、本実施形態に係る移動パケット通信システムが、Ｗ−ＣＤＭＡ方式を用いた移動パケット通信ネットワークで用いられる場合、記憶装置３３は、現在のＡＤＣＨの接続数を記憶する。
【００５１】
ユーザデータバッファ３４は、呼処理部３１とキュー処理部３５と遅延時間蓄積／平均化処理装置３６とに接続されており、現在設定されているパケット呼（パケット呼が設定されている移動局１０）毎に領域を確保するものであって、無線基地局装置２０に送信するまでの間、設定されているパケット呼（移動局１０）毎に、交換装置４０から該パケット呼（移動局１０）宛てに送信されたデータ（パケット）を一時的に蓄積しておくバッファ手段である。本実施形態では、ユーザデータバッファ３４は、図２に示すように、ユーザデータバッファ＃１乃至ユーザデータバッファ＃ｎを具備し、ｎ個の移動局１０用の領域を確保することができる。
【００５２】
また、ユーザデータバッファ３４は、交換装置４０からパケット呼（移動局１０）送信されたデータを蓄積した時刻と、該データを無線基地局装置２０に転送した時刻（またはキュー処理部３５により該データが読み出された時刻）を記憶し、その差分を遅延時間として、遅延時間蓄積／平均化処理装置３６に送信する。ユーザデータバッファ３４における領域の確保及び解放は、呼受付制御部３２の指示に応じて呼処理部３１により送信される命令によって制御される。
【００５３】
キュー処理部３５は、呼受付制御部３２とユーザデータバッファ３４と遅延時間蓄積／平均化処理装置３６とに接続されており、ユーザデータバッファ３４に蓄積されているデータを、設定されているパケット呼（移動局１０）毎に順番に読み出し、読み出したデータを、該パケット呼上で無線基地局装置２０に転送するキュー処理手段である。
【００５４】
また、キュー処理部３５は、単位時間内に無線基地局装置２０に転送したデータ量をカウント（計測）し、カウント結果を、常時、呼受付制御部３２に送信する。このカウント結果の値が、本実施形態に係る移動パケット通信システムのスループットとみなされる。
【００５５】
遅延時間蓄積／平均化処理装置３６は、呼受付制御部３２とユーザデータバッファ３４とに接続されており、ユーザデータバッファ３４から送信された遅延時間の所定期間内の平均値を求め、こうして求められた遅延時間の平均値を、呼受付制御部３２に送信する遅延時間平均化手段である。
【００５６】
（本実施形態に係る移動パケット通信システムの動作）
本実施形態に係る移動パケット通信システムの動作として、図３乃至図６に示す４つの方法が挙げられる。図３乃至図６は、本実施形態に係る移動パケット通信システムにおいて、移動端末１０からの呼受付要求を受信した場合のシーケンスの例を示す図であり、該シーケンスのうち本発明に関係する部分のみを概念的に示している。
【００５７】
（１）第１のシーケンス
図３に示すように、ステップＳ３０２において、無線制御装置３０の呼処理部３１が、移動局１０から無線基地局装置２０を介して送信された「呼受付要求（パケット呼の設定要求）」を受信する。ステップＳ３０４において、無線制御装置３０の呼受付制御部３２が、呼処理部３１により転送された呼受付要求を受信する。
【００５８】
ステップＳ３０６において、呼受付制御部３２が、上述の呼受付要求に係るパケット呼が、現在設定されているパケット呼として記憶装置３３に記憶されているか否かを検索する。
【００５９】
上述の呼受付要求に係るパケット呼が、現在設定されているパケット呼として記憶装置３３に記憶されている場合、呼受付制御部３２は、該パケット呼が「既存呼（すなわち現在設定されているパケット呼）」であると認識し、ステップＳ３１６において、記憶装置３３内の該パケット呼に係る「切断タイマ」を最大値にする（リセットする）。そして、本実施形態に係る移動パケット通信システムの動作は終了する。
【００６０】
また、上述の呼受付要求に係るパケット呼が、現在設定されているパケット呼として記憶装置３３に記憶されていない場合、呼受付制御部３２は、該パケット呼が「新規呼（すなわち現在設定されていないパケット呼）」であると認識し、本実施形態に係る移動パケット通信システムの動作は、ステップＳ３０８に移行する。
【００６１】
ステップＳ３０８において、呼受付制御部３２は、記憶装置３３から、現在設定されているパケット呼の数を示す「接続呼数ＵＮ」を抽出する。ステップＳ３１０において、呼受付制御部３２は、抽出した「接続呼数ＵＮ」と自己の管理する「所定の閾値ＵＡ」とを比較する。ここで「所定の閾値ＵＡ」は、予め定められた同時に設定可能なパケット呼の数の上限である。
【００６２】
「接続呼数ＵＮ」が「所定の閾値ＵＡ」より小さい場合、ステップＳ３１２において、呼受付制御部３２が、上述の呼受付要求に係るパケット呼の設定を受け付けるという判定を下し、その旨を通知する「呼受付許可通知」を呼処理部３１に送信し、記憶装置３３に該呼受付要求に係るパケット呼に関する情報を記憶し、記憶装置３３の記憶内容を更新する。
【００６３】
また、「接続呼数ＵＮ」が「所定の閾値ＵＡ」以上の場合、ステップＳ３１４において、呼受付制御部３２が、上述の呼受付要求に係る呼パケットの設定を受け付けないという判定を下し、その旨を通知する「呼受付拒否通知」を呼処理部３１に送信する。呼処理部３１は、呼受付制御部３２により送信された「呼受付許可通知」又は「呼受付拒否通知」に応じて、移動局１０からの呼受付要求に対する処理を行う。
【００６４】
（２）第２のシーケンス
第２のシーケンスは、本実施形態に係る移動パケット通信システムが、Ｗ−ＣＤＭＡ方式を用いた移動パケット通信ネットワークで用いられる場合のものである。第２のシーケンスは、Ｗ−ＣＤＭＡ方式を用いた移動パケット通信ネットワークにおけるパケット呼（移動局１０）の設定数が、パケット呼（移動局１０）用の無線チャネルに付随するＤＣＨ（ＡＤＣＨ）の数とほぼ等しいという前提に基づいている。
【００６５】
図４に示すように、ステップＳ４０２において、無線制御装置３０の呼処理部３１が、移動局１０から無線基地局装置２０を介して送信された呼受付要求を受信する。ステップＳ４０４において、無線制御装置３０の呼受付制御部３２が、呼処理部３１により転送された呼受付要求を受信する。
【００６６】
ステップＳ４０６において、呼受付制御部３２が、上述の呼受付要求に係るパケット呼が、現在設定されているパケット呼として記憶装置３３に記憶されているか否かを検索する。
【００６７】
上述の呼受付要求に係るパケット呼が、現在設定されているパケット呼として記憶装置３３に記憶されている場合、呼受付制御部３２は、該パケット呼が「既存呼（すなわち現在設定されているパケット呼）」であると認識し、ステップＳ４１６において、記憶装置３３内の該パケット呼に係る「切断タイマ」を最大値にする（リセットする）。そして、本実施形態に係る移動パケット通信システムの動作は終了する。
【００６８】
また、上述の呼受付要求に係るパケット呼が、現在設定されているパケット呼として記憶装置３３に記憶されていない場合、呼受付制御部３２は、該パケット呼が「新規呼（すなわち現在設定されていないパケット呼）」であると認識し、本実施形態に係る移動パケット通信システムの動作は、ステップＳ４０８に移行する。
【００６９】
ステップＳ４０８において、呼受付制御部３２は、記憶装置３３から、現在設定されているＡＤＣＨの数を示す「ＡＤＣＨ同時接続数ＮＡＤＣＨ」を抽出する。ステップＳ４１０において、呼受付制御部３２は、抽出した「ＡＤＣＨ同時接続数ＮＡＤＣＨ」と自己の管理する「所定の閾値ＭＡＤＣＨ」とを比較する。ここで「所定の閾値ＭＡＤＣＨ」は、予め定められた同時に設定可能なＡＤＣＨの数の上限である。
【００７０】
「ＡＤＣＨ同時接続数ＮＡＤＣＨ」が「所定の閾値ＭＡＤＣＨ」より小さい場合、ステップＳ４１２において、呼受付制御部３２が、上述の呼受付要求に係るパケット呼の設定を受け付けるという判定を下し、その旨を通知する「呼受付許可通知」を呼処理部３１に送信し、記憶装置３３に該呼受付要求に係るパケット呼に関する情報を記憶し、記憶装置３３の記憶内容を更新する。
【００７１】
また、「ＡＤＣＨ同時接続数ＮＡＤＣＨ」が「所定の閾値ＭＡＤＣＨ」以上の場合、ステップＳ４１４において、呼受付制御部３２が、上述の呼受付要求に係るパケット呼の設定を受け付けないという判定を下し、その旨を通知する「呼受付拒否通知」を呼処理部３１に送信する。呼処理部３１は、呼受付制御部３２により送信された「呼受付許可通知」又は「呼受付拒否通知」に応じて、移動局１０からの呼受付要求に対する処理を行う。
【００７２】
（３）第３のシーケンス
図５に示すように、ステップＳ５０２において、無線制御装置３０の呼処理部３１が、移動局１０から無線基地局装置２０を介して送信された呼受付要求を受信する。ステップＳ５０４において、無線制御装置３０の呼受付制御部３２が、呼処理部３１により転送された呼受付要求を受信する。
【００７３】
ステップＳ５０６において、呼受付制御部３２が、上述の呼受付要求に係るパケット呼が、現在設定されているパケット呼として記憶装置３３に記憶されているか否かを検索する。
【００７４】
上述の呼受付要求に係るパケット呼が、現在設定されているパケット呼として記憶装置３３に記憶されている場合、呼受付制御部３２は、該パケット呼が「既存呼（すなわち現在設定されているパケット呼）」であると認識し、ステップＳ５１６において、記憶装置３３内の該パケット呼に係る「切断タイマ」を最大値にする（リセットする）。そして、本実施形態に係る移動パケット通信システムの動作は終了する。
【００７５】
また、上述の呼受付要求に係るパケット呼が、現在設定されているパケット呼として記憶装置３３に記憶されていない場合、呼受付制御部３２は、該パケット呼が「新規呼（すなわち現在設定されていないパケット呼）」であると認識し、本実施形態に係る移動パケット通信システムの動作は、ステップＳ５０８に移行する。
【００７６】
ステップＳ５０８において、呼受付制御部３２は、キュー処理部３５により常時送信されているカウント結果に基づいて「現在のシステムスループットＴＮ」を求める。ステップＳ５１０において、呼受付制御部３２は、求められた「現在のシステムスループットＴＮ」と自己の管理する「所定の閾値ＴＡ」とを比較する。ここで「所定の閾値ＴＡ」は、予め定められた単位時間当たりのスループットの上限である。
【００７７】
「現在のシステムスループットＴＮ」が「所定の閾値ＴＡ」より小さい場合、ステップＳ５１２において、呼受付制御部３２が、上述の呼受付要求に係るパケット呼の設定を受け付けるという判定を下し、その旨を通知する「呼受付許可通知」を呼処理部３１に送信し、記憶装置３３に該呼受付要求に係るパケット呼に関する情報を記憶し、記憶装置３３の記憶内容を更新する。
【００７８】
また、「現在のシステムスループットＴＮ」が「所定の閾値ＴＡ」以上の場合、ステップＳ５１４において、呼受付制御部３２が、上述の呼受付要求に係るパケット呼の設定を受け付けないという判定を下し、その旨を通知する「呼受付拒否通知」を呼処理部３１に送信する。呼処理部３１は、呼受付制御部３２により送信された「呼受付許可通知」又は「呼受付拒否通知」に応じて、移動局１０からの呼受付要求に対する処理を行う。
【００７９】
（４）第４のシーケンス
図６に示すように、ステップＳ６０２において、無線制御装置３０の呼処理部３１が、移動局１０から無線基地局装置２０を介して送信された呼受付要求を受信する。ステップＳ６０４において、無線制御装置３０の呼受付制御部３２が、呼処理部３１により転送された呼受付要求を受信する。
【００８０】
ステップＳ６０６において、呼受付制御部３２が、上述の呼受付要求に係るパケット呼が、現在設定されているパケット呼として記憶装置３３に記憶されているか否かを検索する。
【００８１】
上述の呼受付要求に係るパケット呼が、現在設定されているパケット呼として記憶装置３３に記憶されている場合、呼受付制御部３２は、該パケット呼が「既存呼（すなわち現在設定されているパケット呼）」であると認識し、ステップＳ６１６において、記憶装置３３内の該パケット呼に係る「切断タイマ」を最大値にする（リセットする）。そして、本実施形態に係る移動パケット通信システムの動作は終了する。
【００８２】
また、上述の呼受付要求に係るパケット呼が、現在設定されているパケット呼として記憶装置３３に記憶されていない場合、呼受付制御部３２は、該パケット呼が「新規呼（すなわち現在設定されていないパケット呼）」であると認識し、本実施形態に係る移動パケット通信システムの動作は、ステップＳ６０８に移行する。
【００８３】
ステップＳ６０８において、呼受付制御部３２は、遅延時間蓄積／平均化処理装置３６により送信された遅延時間に基づいて「現在の平均遅延時間ＴＤ」を求める。ステップＳ６１０において、呼受付制御部３２は、求められた「現在の平均遅延時間ＴＤ」と自己の管理する「所定の閾値ＡＤ」とを比較する。ここで「所定の閾値ＡＤ」は、予め定められた許容される遅延時間の上限である。
【００８４】
「現在の平均遅延時間ＴＤ」が「所定の閾値ＡＤ」より小さい場合、ステップＳ６１２において、呼受付制御部３２が、上述の呼受付要求に係るパケット呼の設定を受け付けるという判定を下し、その旨を通知する「呼受付許可通知」を呼処理部３１に送信し、記憶装置３３に該呼受付要求に係るパケット呼に関する情報を記憶し、記憶装置３３の記憶内容を更新する。
【００８５】
また、「現在の平均遅延時間ＴＤ」が「所定の閾値ＡＤ」以上の場合、ステップＳ６１４において、呼受付制御部３２が、上述の呼受付要求に係るパケット呼の設定を受け付けないという判定を下し、その旨を通知する「呼受付拒否通知」を呼処理部３１に送信する。呼処理部３１は、呼受付制御部３２により送信された「呼受付許可通知」又は「呼受付拒否通知」に応じて、移動局１０からの呼受付要求に対する処理を行う。
【００８６】
（他の実施の形態）
以上述べた実施形態以外にも種々の変形が可能である。しかしながら、その変形が特許請求の範囲に記載された技術思想に基づくものである限り、その変形は本発明の技術範囲内となる。
【００８７】
（本実施形態に係る移動パケット通信システムの作用及び効果）
本実施形態に係る移動パケット通信システムによれば、呼受付制御部３２が、記憶装置３３に記憶されている情報に基づいて、設定要求されたパケット呼が新規呼であるか否かを判定し、既存呼を除いた新規呼についてのみ、パケット呼の設定を受け付けるか否かを決定することが可能となる。
【００８８】
また、本実施形態に係る移動パケット通信システムによれば、呼受付制御部３２が、現在設定されているパケット呼の数「接続呼数ＵＮ」に基づいて、パケット呼の設定を受け付けるか否かを決定するため、多くの移動局１０が、無線基地局装置２０に比較的近い場所で無線通信を行っている場合であっても、過大なパケット呼の設定を受け付けてしまうという問題点を解決することができる。
【００８９】
また、本実施形態に係る移動パケット通信システムによれば、呼受付制御部３２が、現在設定されているパケット呼の数「接続呼数ＵＮ」に基づいて、パケット呼の設定を受け付けるか否かを決定するため、多くの移動局１０が、無線基地局装置２０に比較的遠い場所で無線通信を行っている場合であっても、各ユーザのデータが時間的に重ならなければ無線通信が可能であるという移動パケット通信の利点を生かすことができ、移動パケット通信システム全体のスループットが低下してしまうという問題点を解決することができる。
【００９０】
また、本実施形態に係る移動パケット通信システムによれば、呼受付制御部３２が、現在設定されているパケット呼の数にほぼ等しい現在設定されているＡＤＣＨの数「ＡＤＣＨ同時接続数ＮＡＤＣＨ」に基づいて、パケット呼の設定を受け付けるか否かを決定するため、多くの移動局１０が、無線基地局装置２０に比較的近い場所で無線通信を行っている場合であっても、過大なパケット呼の設定を受け付けてしまうという問題点を解決することができる。
【００９１】
また、本実施形態に係る移動パケット通信システムによれば、呼受付制御部３２が、現在設定されているパケット呼の数にほぼ等しい現在設定されているＡＤＣＨの数「ＡＤＣＨ同時接続数ＮＡＤＣＨ」に基づいて、パケット呼の設定を受け付けるか否かを決定するため、多くの移動局１０が、無線基地局装置２０に比較的遠い場所で無線通信を行っている場合であっても、各ユーザのデータが時間的に重ならなければ無線通信が可能であるという移動パケット通信の利点を生かすことが可能となり、移動パケット通信システム全体のスループットが低下してしまうという問題点を解決することができる。
【００９２】
また、本実施形態に係る移動パケット通信システムによれば、呼受付制御部３２が、キュー処理部３５により計測されたデータ量「現在のシステムスループットＴＮ」に基づいて、パケット呼の設定を受け付けるか否かを決定するため、多くの移動局１０が、無線基地局装置２０に比較的近い場所で無線通信を行っている場合であっても、スループットの低下により遅延時間が増大するという現象を防ぐことができる。
【００９３】
また、本実施形態に係る移動パケット通信システムによれば、呼受付制御部３２が、ユーザデータバッファ３４及び遅延時間蓄積／平均化処理装置３６により算定された遅延時間の所定期間内の平均値「現在の平均遅延時間ＴＤ」に基づいて、パケット呼の設定を受け付けるか否かを決定するため、多くの移動局１０が、無線基地局装置２０に比較的近い場所で無線通信を行っている場合であっても、遅延時間の増大を防ぐことができる。
【００９４】
【発明の効果】
本発明によれば、移動パケット通信の利点を生かすことにより無線チャネルの利用効率を向上させつつ、伝送遅延の増大を制限し品質劣化を防ぐことを可能とする移動パケット通信システムを提供することができる。
【図面の簡単な説明】
【図１】本発明の一実施形態に係る移動パケット通信システムの概略構成を示す図である。
【図２】本発明の一実施形態に係る移動パケット通信システムの無線制御装置の機能ブロックを示す図である。
【図３】本発明の一実施形態に係る移動パケット通信システムの動作を示すタイムチャート図である。
【図４】本発明の一実施形態に係る移動パケット通信システムの動作を示すタイムチャート図である。
【図５】本発明の一実施形態に係る移動パケット通信システムの動作を示すタイムチャート図である。
【図６】本発明の一実施形態に係る移動パケット通信システムの動作を示すタイムチャート図である。
【図７】従来技術に係る移動パケット通信システムの無線制御装置の機能ブロックを示す図である。
【図８】従来技術に係る移動パケット通信システムの動作を示すタイムチャート図である。
【符号の説明】
１０…移動局
２０…無線基地局装置
３０…無線制御装置
３１…呼処理部
３２…呼受付制御部
３３…記憶装置
３４…ユーザデータバッファ
３５…キュー処理部
３６…遅延時間蓄積／平均化処理装置
４０…交換装置
１００…幹線網
【図１】
0003990882.tif 000002
【図２】
0003990882.tif 000003
【図３】
0003990882.tif 000004
【図４】
0003990882.tif 000005
【図５】
0003990882.tif 000006
【図６】
0003990882.tif 000007
【図７】
0003990882.tif 000008
【図８】
0003990882.tif 000009